(57)【要約】【課題】例えばユニットバスの洗い場１の排水口２に設置されて排水口２における抗菌、消臭作用を促す浴室用ぬめり除去部材１０を提供すること。【解決手段】銅製で、浴室の洗い場１の排水口２に設置されて銅のイオン効果により排水口２における抗菌、消臭作用を促す。【選択図】          図４
2004316344.tif 000002
【特許請求の範囲】
【請求項１】
銅製で、浴室の洗い場の排水口に設置されて銅のイオン効果により排水口における抗菌、消臭作用を促すことを特徴とする浴室用ぬめり除去部材。
【請求項２】
縦断面波型で、排水口内に設置可能な大きさを有する円板よりなり、排水を阻止しない程度に複数の排水小孔を同心円に沿った形で有し、更に、前記排水小孔は、各同心円上の谷部分に設けられている請求項１に記載の浴室用ぬめり除去部材。
【請求項３】
ユニットバスに用いられる請求項１または請求項２に記載の浴室用ぬめり除去部材。
【発明の詳細な説明】
【０００１】
【発明の属する技術分野】
この発明は、例えばユニットバスの洗い場の排水口に設置される新規な浴室用ぬめり除去部材に関するものである。
【０００２】
【従来の技術および発明が解決しようとする課題】
銅イオンには、例えば水道水に含まれている塩素を無害化する働きがあるとともに、抗菌、消臭作用の働きがあることを利用して、浴槽の汚れや臭いの発生を抑えたり、また、肌と髪に優しいシャワで快適なバスタイムを得るように、浴槽内に銅繊維を取付けたり、また、シャワ板に銅板を取付けることが行われているけれども、例えばユニットバスの洗い場の排水口のぬめりを除去する目的で銅板は用いられていなかった。
【０００３】
この発明は、上記問題に鑑みてなしたもので、例えばユニットバスの洗い場の排水口に設置されて排水口における抗菌、消臭作用を促す浴室用ぬめり除去部材を提供することを目的としている。
【０００４】
【課題を解決するための手段】
上記目的を達成するために、発明の浴室用ぬめり除去部材は、銅製で、浴室の洗い場の排水口に設置されて銅のイオン効果により排水口における抗菌、消臭作用を促すことを特徴とする。
【０００５】
【発明の実施の形態】
以下にこの発明の実施形態について説明する。なお、それによって、この発明は限定されるものではない。
【０００６】
図１〜図４は、排水口の最下位に設置されている髪の毛等を捕獲するヘアキャッチャーと排水口の最上位に設置されている蓋との間に形成される空間に浴室用ぬめり除去部材を設置したこの発明の一実施形態を示す。
【０００７】
図１〜図４において、１は、ユニットバスの洗い場で、片隅に排水口２を備えている。排水口２には、下から順に、排水口２の排水丸穴３に嵌込まれるネット状のヘアキャッチャー４と、排水口２の上部段差部分５に着脱自在に装着される平面視矩形で排水丸穴３よりも大きな面積を持つ排水孔付蓋６が備わっている。
【０００８】
７は、矩形の前記上部段差部分５から下方の前記排水丸穴３側に連設された矩形の下部段差部分で、上部段差部分５とは相似の関係にあり、上部段差部分５よりは小さく、かつ、排水丸穴３よりは大きな面積を有する。１ａは、洗い場の表面である。
【０００９】
以下、この発明の特徴的構成について説明する。
【００１０】
１０は、前記洗い場１の排水口２に設置されて銅のイオン効果により排水口２における抗菌、消臭作用を促す銅製の浴室用ぬめり除去部材である。この浴室用ぬめり除去部材１０は、縦断面波型で、排水口２内に設置可能な大きさを有する薄型の円板よりなる。浴室用ぬめり除去部材１０は、排水を阻止しない程度に複数の丸孔の排水小孔１１を三つの同心円Ｃ１  ，Ｃ２  ，Ｃ３  に沿った形で有する。
【００１１】
前記排水小孔１１は、浴室用ぬめり除去部材１０の上面１０ａにおける前記各同心円Ｃ１  ，Ｃ２  ，Ｃ３  上の谷部分に中心Ｃを持つ。
【００１２】
すなわち、同心円Ｃ１  上の排水小孔１１は、所定幅を有する環状領域Ｐ内に位置しており、環状領域Ｐは断面すり鉢状に凹んでいる。また、同心円Ｃ１  より内側の同心円Ｃ２  上の排水小孔１１は、所定幅を有する環状領域Ｑ内に位置しており、環状領域Ｑは断面すり鉢状に凹んでいる。更に、同心円Ｃ２  より内側の同心円Ｃ３  上の排水小孔１１は、所定幅を有する環状領域Ｒ内に位置しており、環状領域Ｒは断面すり鉢状に凹んでいる。
【００１３】
例えば、１３は環状領域Ｐの外周Ｐ１  に形成された山であり、１４は、環状領域Ｐの内周Ｐ２  に形成された山であり、１５は、前記外周Ｐ１  と内周Ｐ２  の中間に位置する円周Ｐ３  に形成された谷である。
【００１４】
そして、環状領域Ｐの各排水小孔１１は、円周方向に沿って所定間隔を有する形で配置されている。
【００１５】
この発明では、排水小孔１１の中心Ｃが円周Ｐ３  上に設定されているが、排水小孔１１の中心Ｃを外周Ｐ１  上に設定しなかったのは以下の理由による。
【００１６】
排水小孔１１には、排水に混じって流れてくる髪の毛などのごみが溜まるわけであるが、排水小孔１１がごみ溜まりになり難く、そのため、排水小孔１１上で溜まり水になり難いからである。
【００１７】
２０は、浴室用ぬめり除去部材１０の中央に設けた排水小孔である。
【００１８】
そして、この発明では、浴室用ぬめり除去部材１０の縦断面を波型にしているのは、浴室用ぬめり除去部材１０の上面、下面がフラットな場合に比して排水との接触面積が大きく、また、浴室用ぬめり除去部材１０の上面１０ａの谷に排水が滞留し易いからである。そのため、この発明では、銅のイオン効果を大きくできることになる。
【００１９】
また、この発明のように、排水小孔２０と複数の排水小孔１１を設けるのではなく、仮に一つだけ大きな排水孔を浴室用ぬめり除去部材１０設けた場合は、ごみが溜まり難いが、排水との接触効率が悪いからである。
【００２０】
そして、前記浴室用ぬめり除去部材１０は、ヘアキャッチャー４と排水口の最上位に設置されている排水孔付蓋６との間に形成される空間に設置される。
【００２１】
而して、ヘアキャッチャー４と排水孔付蓋６との間に浴室用ぬめり除去部材１０は設置され、排水孔付蓋６も上部段差部分５に装着される。そして、排水が排水口２を通り抜けるときに、浴室用ぬめり除去部材１０に接触し、銅のイオン効果によりヘアキャッチャー４と排水孔付蓋６を含む排水口２における抗菌、消臭作用が促されることになる。
【００２２】
図５は、排水孔付蓋を兼用したこの発明の他の実施形態を示す。図５において、図１〜図４に示した符号と同一のものは同一または相当物である。
【００２３】
図５において、排水口２’は、浴室用ぬめり除去部材１０を保持する段差部分３０を上部に有する。
【００２４】
而して、排水口２’の段差部分３０に浴室用ぬめり除去部材１０は設置される。そして、排水が排水口２’を通り抜けるときに、浴室用ぬめり除去部材１０に接触し、銅のイオン効果により排水口２’における抗菌、消臭作用が促されることになる。
【００２５】
この実施形態では、浴室用ぬめり除去部材１０が排水孔付蓋を兼用しているので、上記実施形態で用いたような排水孔付蓋６を不要にでき、洗い場１の排水口２’に係る部品点数を減らすことができる。
【００２６】
【発明の効果】
以上説明したようにこの発明によれば、例えばユニットバスの洗い場の排水口に設置されて排水口における抗菌、消臭作用を促す浴室用ぬめり除去部材を提供することができる。
【図面の簡単な説明】
【図１】この発明の一実施形態を示す平面図である。
【図２】上記実施形態における縦断面図である。
【図３】上記実施形態で用いた排水口を示す概略平面図である。
【図４】上記実施形態における設置状態を示す構成説明図である。
【図５】この発明の他の実施形態における設置状態を示す構成説明図である。
【符号の説明】
１…浴室の洗い場、２…排水口、１０…浴室用ぬめり除去部材。
【図１】
2004316344.tif 000003
【図２】
2004316344.tif 000004
【図３】
2004316344.tif 000005
【図４】
2004316344.tif 000006
【図５】
2004316344.tif 000007